(57)【特許請求の範囲】
【請求項１】
参照信号受信品質の報告の方法であって、ユーザー端末に応用され、
前記ユーザー端末は、参照信号受信品質ＲＳＲＱの測定を行い、採用されたＲＳＲＱの測定タイプを記録し、採用されたＲＳＲＱの測定タイプと該ＲＳＲＱの測定タイプのＲＳＲＱの測定結果を報告し、
ここで、前記ＲＳＲＱの測定タイプが帯域幅タイプ及び／又は定義タイプを含み、前記帯域幅タイプが広帯域ＲＳＲＱと狭帯域ＲＳＲＱを含み、前記定義タイプが伝統的定義ＲＳＲＱと新規定義ＲＳＲＱを含み、伝統的定義ＲＳＲＱにおいて、アンテナポート０で受信された、参照シンボルを含む直交周波数分割多重ＯＦＤＭシンボルに基づいて受信信号強度インジケータＲＳＳＩの測定を行い、新規定義ＲＳＲＱにおいて、受信された全てのＯＦＤＭシンボルに基づいてＲＳＳＩの測定を行う、前記方法。
【請求項２】
前記ＲＳＲＱの測定タイプが帯域幅タイプと定義タイプを含み、
前記採用されたＲＳＲＱの測定タイプを報告することは、
マルチビット情報要素ＩＥにより、採用された帯域幅タイプと定義タイプを指示すること、又は、
異なるＩＥにより、採用された帯域幅タイプと定義タイプをそれぞれ指示すること、又は、
シングルビットＩＥにより、採用されたＲＳＲＱの測定タイプが広帯域ＲＳＲＱと新規定義ＲＳＲＱの結合であることを指示し、又は、シングルビットＩＥにより、採用されたＲＳＲＱの測定タイプが狭帯域ＲＳＲＱと伝統的定義ＲＳＲＱの結合であることを指示すること、を含む
請求項１に記載の方法。
【請求項３】
参照信号受信品質ＲＳＲＱの測定を行う前に、前記ユーザー端末は、
基地局によって無線リソース制御ＲＲＣメッセージを介して指示されたＲＳＲＱの測定タイプを受信し、及び／又は、
基地局によってブロードキャストメッセージを介して指示されたＲＳＲＱの測定タイプを受信する
請求項１に記載の方法。
【請求項４】
ＲＳＲＱの測定を行い、採用されたＲＳＲＱの測定タイプを記録することは、
受信された最小化ドライブテスト記録ｌｏｇｇｅｄＭＤＴ構成情報に基づいて、アイドル状態でＲＳＲＱの測定結果を記録するとき、採用されたＲＳＲＱの測定タイプを記録すること、を含む
請求項１に記載の方法。
【請求項５】
採用されたＲＳＲＱの測定タイプを報告することは、
無線リソース制御ＲＲＣメッセージを介して測定レポート記録情報要素ｌｏｇＭｅａｓＲｅｐｏｒｔ  ＩＥを報告し、前記ｌｏｇＭｅａｓＲｅｐｏｒｔＩＥにおいて前記ＲＳＲＱの測定タイプを指示すること、を含む
請求項１に記載の方法。
【請求項６】
ＲＳＲＱ測定を行い、採用されたＲＳＲＱの測定タイプを記録することは、
無線リンク失敗ＲＬＦ、ハンドオーバー失敗、接続確立失敗のうちの一つが生じる場合、ＲＳＲＱの測定結果を記録し、採用されたＲＳＲＱの測定タイプを記録すること、を含む
請求項１に記載の方法。
【請求項７】
参照信号受信品質の報告の装置であって、
参照信号受信品質ＲＳＲＱの測定を行い、採用されたＲＳＲＱの測定タイプを記録するように構成される測定モジュールと、
採用されたＲＳＲＱの測定タイプと該ＲＳＲＱの測定タイプのＲＳＲＱの測定結果を報告するように構成される送信モジュールと、を備え、
ここで、前記ＲＳＲＱの測定タイプが帯域幅タイプ及び／又は定義タイプを含み、前記帯域幅タイプが広帯域ＲＳＲＱと狭帯域ＲＳＲＱを含み、前記定義タイプが伝統的定義ＲＳＲＱと新規定義ＲＳＲＱを含み、伝統的定義ＲＳＲＱにおいて、アンテナポート０で受信された、参照シンボルを含む直交周波数分割多重ＯＦＤＭシンボルに基づいて受信信号強度インジケータＲＳＳＩの測定を行い、新規定義ＲＳＲＱにおいて、受信された全てのＯＦＤＭシンボルに基づいてＲＳＳＩの測定を行う、前記装置。
【請求項８】
前記ＲＳＲＱの測定タイプが帯域幅タイプと定義タイプを含み、
前記送信モジュールは、
マルチビット情報要素ＩＥにより、採用された帯域幅タイプと定義タイプを指示し、又は、
異なるＩＥにより、採用された帯域幅タイプと定義タイプをそれぞれ指示し、又は、
シングルビットＩＥにより、採用されたＲＳＲＱの測定タイプが広帯域ＲＳＲＱと新規定義ＲＳＲＱの結合であることを指示し、又は、シングルビットＩＥにより、採用されたＲＳＲＱの測定タイプが狭帯域ＲＳＲＱと伝統的定義ＲＳＲＱの結合であることを指示するように構成される
請求項７に記載の装置。
【請求項９】
前記装置は、
基地局が無線リソース制御ＲＲＣメッセージを介して指示したＲＳＲＱの測定タイプを受信し、及び／又は、基地局がブロードキャストメッセージを介して指示したＲＳＲＱの測定タイプを受信するように構成される受信モジュールを更に備える
請求項６に記載の装置。
【請求項１０】
前記測定モジュールは、
受信された最小化ドライブテスト記録ｌｏｇｇｅｄＭＤＴ構成情報に基づいて、アイドル状態でＲＳＲＱの測定結果を記録するとき、採用されたＲＳＲＱの測定タイプを記録するように構成される
請求項６に記載の装置。
【請求項１１】
前記送信モジュールは、
無線リソース制御ＲＲＣメッセージを介して測定レポート記録情報要素ｌｏｇＭｅａｓＲｅｐｏｒｔ  ＩＥを報告し、前記ｌｏｇＭｅａｓＲｅｐｏｒｔＩＥにおいて前記ＲＳＲＱの測定タイプを指示するように構成される
請求項６に記載の装置。
【請求項１２】
前記測定モジュールは、
ユーザ端末に無線リンク失敗ＲＬＦ、ハンドオーバー失敗、接続確立失敗のうちの一つが生じる場合、ＲＳＲＱの測定結果を記録し、採用されたＲＳＲＱの測定タイプを記録するように構成される
請求項６に記載の装置。
【発明の詳細な説明】
【技術分野】
【０００１】
本発明は通信技術分野に関し、特に参照信号受信品質ＲＳＲＱの報告の方法及び装置に関する。
【背景技術】
【０００２】
モバイル通信技術の発展と伴い、モバイル通信ネットワークの規模がますます大きくなり、モバイル通信ネットワークにおけるサービス品質へのユーザの要求もますます高くなる。このため、ネットワークパラメータに対して最適化を行い、ネットワーク品質を向上することは、モバイル通信ネットワークの発展への需要な研究方向になる。
【０００３】
ドライブテストは、ネットワークの状態を反映することができ、ネットワークの性能指標を直接的測定して評価する。現在、ドライブテストは、キャリアがネットワークを最適化するための需要な手段であり、伝統的なドライブテストが人工の方式を採用し、大量の人力、物力を消耗する必要がある。当該課題を解決するために、第３世代移動通信システムの標準化プロジェクトのリリース９（３ＧＰＰ  Ｒ９：３ｒｄ  Ｇｅｎｅｒａｔｉｏｎ  Ｐａｒｔｎｅｒｓｈｉｐ  Ｐｒｏｊｅｃｔ）は最小化ドライブテスト（ＭＤＴ：Ｍｉｎｉｍｉｚａｔｉｏｎ  ｏｆ  Ｄｒｉｖｅ  Ｔｅｓｔ）を研究し始める。図１に示すように、ＭＤＴは、ユーザ端末によってドライブテストが自動的に行われてデータを記録され、基地局によってドライブテストデータが収集されてネットワーク管理に送信する方式により、データの測定及び収集を実現する。ドライブテストの伝送と比べて、ＭＤＴはドライブテストのオーバーヘッドを低減し、最適化の周期を短くすることができ、ネットワーク管理側がネットワークを最適化する及び維持するコストを低減する。
【０００４】
参照信号受信品質（ＲＳＲＱ：Ｒｅｆｅｒｅｎｃｅ  Ｓｉｇｎａｌ  Ｒｅｃｅｉｖｉｎｇ  Ｑｕａｌｉｔｙ）はユーザ端末によって報告されたＭＤＴの需要なパラメータである。伝統的ＲＳＲＱの測定のタイプにおいて、ユーザ端末が狭い帯域幅でＲＳＲＱの測定を行う。３ＧＰＰ  Ｒ１１に広帯域ＲＳＲＱ（ｗｉｄｅｂａｎｄ  ＲＳＲＱ）の測定を導入し、この測定のタイプにおいて、ユーザ端末が広い帯域でＲＳＲＱの測定を行う。狭帯域ＲＳＲＱの測定に比べて、広帯域ＲＳＲＱの測定がネットワーク信号品質を更に反映することができ、ネットワーク側が広帯域ＲＳＲＱの測定値に応じてセル選択又は再選択のハンドオーバー閾値を設定する場合、狭帯域ＲＳＲＱの測定値に応じてハンドオーバー閾値を設定するとは異なる。伝統的ＲＳＲＱの測定タイプにおいて、定義されたＲＳＲＱの分母の部分、即ち受信信号強度インジケータ（ＲＳＳＩ：Ｒｅｃｅｉｖｅｄ  Ｓｉｇｎａｌ  Ｓｔｒｅｎｇｔｈ  Ｉｎｄｉｃａｔｏｒ）は、アンテナポート０で受信された参照シンボルを含む直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルに基づいて測定して確定するものである。３ＧＰＰ  Ｒ１２に新規定義のＲＳＲＱを導入し、該新規定義ＲＳＲＱにおいて、受信された全てのＯＦＤＭシンボルに基づいてＲＳＳＩの測定を行う。新規定義のＲＳＲＱを採用してＲＳＲＱの測定を行うことで、測定の誤差を低減させることができる。
【０００５】
現在、伝統的ＲＳＲＱの測定結果の報告方式において、ネットワーク管理側は、ＲＳＲＱの測定結果を受信した後、該測定結果が新規定義ＲＳＲＱに基づいて測定されたか、又は、伝統定義ＲＳＲＱに基づいて測定されたかを知らなく、該測定結果が広帯域ＲＳＲＱに基づいて測定されたか、又は、狭帯域ＲＳＲＱに基づいて測定されたかも知らない。このため、受信されたＲＳＲＱの測定結果の意味を解析することができなく、該ＲＳＲＱの測定の結果に応じてネットワークを効果的に最適化することもできない。
【発明の概要】
【課題を解決するための手段】
【０００６】
本発明の実施形態は参照信号受信品質ＲＳＲＱの報告の方法及び装置を提供し、従来技術において、ネットワーク側が受信されたＲＳＲＱの測定結果の実際の意味を解析することができなく、該ＲＳＲＱの測定結果に応じてネットワークを効果的に最適化することができないという問題を解決する。
【０００７】
本発明の実施形態における参照信号受信品質の報告の方法は、
参照信号受信品質ＲＳＲＱの測定を行い、採用されたＲＳＲＱの測定タイプを記録することと、
採用されたＲＳＲＱの測定タイプと該ＲＳＲＱの測定タイプのＲＳＲＱの測定結果を報告することと、を含む。
【０００８】
好ましくは、前記ＲＳＲＱの測定タイプが帯域幅タイプ及び／又は定義タイプを含み、前記帯域幅タイプが広帯域ＲＳＲＱと狭帯域ＲＳＲＱを含み、前記定義タイプが伝統的定義ＲＳＲＱと新規定義ＲＳＲＱを含み、伝統的定義ＲＳＲＱにおいて、アンテナポート０で受信された参照シンボルを含む直交周波数分割多重ＯＦＤＭシンボルに基づいて受信信号強度インジケータＲＳＳＩの測定を行い、新規定義ＲＳＲＱにおいて、受信された全てのＯＦＤＭシンボルに基づいてＲＳＳＩの測定を行う。
【０００９】
好ましくは、前記ＲＳＲＱの測定タイプが帯域幅タイプと定義タイプを含み、前記採用されたＲＳＲＱの測定タイプを報告することは、
マルチビット情報要素ＩＥにより、採用された帯域幅タイプと定義タイプを指示すること、又は、
異なるＩＥにより、採用された帯域幅タイプと定義タイプをそれぞれ指示すること、又は、
シングルビットＩＥにより、採用されたＲＳＲＱの測定タイプが広帯域ＲＳＲＱと新規定義ＲＳＲＱの結合であることを指示し、又は、シングルビットＩＥにより、採用されたＲＳＲＱの測定タイプが狭帯域ＲＳＲＱと伝統的定義ＲＳＲＱの結合であることを指示すること、を含む。
【００１０】
好ましくは、参照信号受信品質ＲＳＲＱの測定を行う前に、前記方法は、
基地局によって無線リソースコントロールＲＲＣメッセージを介して指示されたＲＳＲＱの測定タイプを受信すること、及び／又は、
基地局によってブロードキャストメッセージを介して指示されたＲＳＲＱの測定タイプを受信すること、を含む。
【００１１】
好ましくは、ＲＳＲＱの測定を行い、採用されたＲＳＲＱの測定タイプを記録することは、
受信された最小化ドライブテスト記録ｌｏｇｇｅｄＭＤＴの構成情報に基づいて、アイドル状態でＲＳＲＱの測定結果を記録するとき、採用されたＲＳＲＱの測定タイプを記録することを含む。
【００１２】
好ましくは、採用されたＲＳＲＱの測定タイプを報告することは、
無線リソースコントロールＲＲＣメッセージを介して測定レポート記録情報要素ｌｏｇＭｅａｓＲｅｐｏｒｔ  ＩＥを報告し、前記ｌｏｇＭｅａｓＲｅｐｏｒｔＩＥにおいて前記ＲＳＲＱの測定タイプを指示すること、を含む。
【００１３】
好ましくは、ＲＳＲＱ測定を行い、採用されたＲＳＲＱの測定タイプを記録することは、
無線リンク失敗ＲＬＦ、ハンドオーバー失敗、接続確立失敗のうちの一つが生じる場合、ＲＳＲＱの測定結果を記録し、採用されたＲＳＲＱの測定タイプを記録すること、を含む。
【００１４】
好ましくは、ＲＳＲＱ測定を行い、採用されたＲＳＲＱの測定タイプを記録することは、
多種のＲＳＲＱの測定タイプにおいてＲＳＲＱの測定を行い、各種のＲＳＲＱの測定タイプのＲＳＲＱの測定結果を記録すること、を含む。
【００１５】
本発明の他の実施形態における参照信号受信品質の報告の方法は、
ユーザ端末によって報告された参照信号受信品質ＲＳＲＱの測定結果を受信することと、
前記ユーザ端末によって報告されたＲＳＲＱの測定結果と前記ユーザ端末によって採用されたＲＳＲＱの測定タイプをトレース収集エンティティＴＣＥに報告することと、を含む。
【００１６】
好ましくは、前記ＲＳＲＱの測定タイプが帯域幅タイプ及び／又は定義タイプを含み、前記帯域幅タイプが広帯域ＲＳＲＱと狭帯域ＲＳＲＱを含み、前記定義タイプが伝統的定義ＲＳＲＱと新規定義ＲＳＲＱを含み、伝統的定義ＲＳＲＱにおいて、アンテナポート０で受信された参照シンボルを含む直交周波数分割多重ＯＦＤＭシンボルに基づいて受信信号強度インジケータＲＳＳＩの測定を行い、新規定義ＲＳＲＱにおいて、受信された全てのＯＦＤＭシンボルに基づいてＲＳＳＩの測定を行う。
【００１７】
好ましくは、前記ＲＳＲＱの測定タイプが帯域幅タイプと定義タイプを含み、前記ユーザ端末によって採用されたＲＳＲＱの測定タイプをトレース収集エンティティＴＣＥに報告することは、
マルチビット情報要素ＩＥにより、前記ユーザ端末が採用する帯域幅タイプと定義タイプを指示すること、又は、
異なるＩＥにより、前記ユーザ端末が採用する帯域幅タイプと定義タイプをそれぞれ指示すること、又は、
シングルビットＩＥにより、前記ユーザ端末が採用するＲＳＲＱ測定タイプが広帯域ＲＳＲＱと新規定義ＲＳＲＱの結合であることを指示し、又は、シングルビットＩＥにより、ユーザ端末が採用するＲＳＲＱの測定タイプが狭帯域ＲＳＲＱと伝統的定義ＲＳＲＱの結合であることを指示すること、を含む。
【００１８】
好ましくは、ユーザ端末によって報告された参照信号受信品質ＲＳＲＱの測定結果を受信する前に、前記方法は、
無線リソースコントロールＲＲＣメッセージを介して接続状態にある前記ユーザ端末にＲＳＲＱの測定タイプを指示すること、及び／又は、ブロードキャストメッセージを介してカバーされたユーザ端末にＲＳＲＱの測定タイプを指示すること、を含む。
【００１９】
好ましくは、ＲＲＣメッセージを介して接続状態にある前記ユーザ端末にＲＳＲＱの測定タイプを送信する場合、前記ユーザ端末によって報告されたＲＳＲＱの測定結果と前記ユーザ端末によって採用されたＲＳＲＱの測定タイプをＴＣＥに報告することは、
前記ユーザ端末によって報告されたＲＳＲＱの測定結果と、その前に前記ユーザ端末に指示したＲＳＲＱの測定タイプをＴＣＥに報告することを含む。
【００２０】
好ましくは、ユーザ端末によって報告されたＲＳＲＱの測定結果を受信することは、
前記ユーザ端末によって報告されたＲＳＲＱの測定タイプと該ＲＳＲＱの測定タイプのＲＳＲＱの測定結果を受信することを含む。
【００２１】
好ましくは、ユーザ端末によって報告されたＲＳＲＱの測定結果を受信する前に、前記方法は、
前記ユーザ端末のＲＳＲＱの測定タイプを構成すること、又は、
ネットワークエンティティ管理ＥＭによって送信されたＲＳＲＱの測定タイプを受信すること、を更に含む。
【００２２】
好ましくは、ＥＭによって送信されたＲＳＲＱの測定タイプを受信することは、
ＥＭによって送信された、ＲＳＲＱの測定タイプを含む最小化ドライブテストＭＤＴ構成情報を受信すること、又は、
ＥＭによって送信された、ＲＳＲＱの測定タイプを含む無線リンク失敗ＲＬＦレポート構成情報又は接続確立失敗レポート構成情報を受信すること、を含む。
【００２３】
本発明の他の実施形態における他の参照信号受信品質の報告の方法は、
参照信号受信品質ＲＳＲＱの測定タイプを構成することと、
構成された前記ＲＳＲＱの測定タイプを基地局に指示し、前記基地局によってユーザ端末に指示することと、を含む。
【００２４】
好ましくは、前記ＲＳＲＱの測定タイプが帯域幅タイプ及び／又は定義タイプを含み、前記帯域幅タイプが広帯域ＲＳＲＱと狭帯域ＲＳＲＱを含み、前記定義タイプが伝統的定義ＲＳＲＱと新規定義ＲＳＲＱを含み、伝統的定義ＲＳＲＱにおいて、アンテナポート０で受信された参照シンボルを含む直交周波数分割多重ＯＦＤＭシンボルに基づいて受信信号強度インジケータＲＳＳＩの測定を行い、新規定義ＲＳＲＱにおいて、受信された全てのＯＦＤＭシンボルに基づいてＲＳＳＩの測定を行う。
【００２５】
好ましくは、前記ＲＳＲＱの測定タイプが帯域幅タイプと定義タイプを含み、構成された前記ＲＳＲＱの測定タイプを基地局に指示することは、
マルチビット情報要素ＩＥにより、構成された前記帯域幅タイプと前記定義タイプを指示すること、又は、
異なるＩＥにより、構成された前記帯域幅タイプと前記定義タイプをそれぞれ指示すること、又は、
シングルビットＩＥにより、構成されたＲＳＲＱの測定タイプが広帯域ＲＳＲＱと新規定義ＲＳＲＱの結合であることを指示し、又は、シングルビットＩＥにより、構成されたＲＳＲＱの測定タイプが狭帯域ＲＳＲＱと伝統的定義ＲＳＲＱの結合であることを指示すること、を含む。
【００２６】
好ましくは、構成された前記ＲＳＲＱの測定タイプを基地局に指示することは、
前記ＲＳＲＱの測定タイプを最小化ドライブテストＭＤＴ構成情報を介して前記基地局に指示すること、又は、
前記ＲＳＲＱの測定タイプを無線リンク失敗ＲＬＦレポート構成情報又は接続確立失敗レポート構成情報を介して前記基地局に指示することと、を含む
本発明の実施形態における参照信号受信品質の報告の装置は、
参照信号受信品質ＲＳＲＱの測定を行い、採用されたＲＳＲＱの測定タイプを記録するように構成される測定モジュールと、
採用されたＲＳＲＱの測定タイプと該ＲＳＲＱの測定タイプのＲＳＲＱの測定結果を報告するように構成される送信モジュールと、を備える。
【００２７】
本発明の他の実施形態における参照信号受信品質の報告の装置は、
ユーザ端末によって報告された参照信号受信品質ＲＳＲＱの測定結果を受信するように構成される受信モジュールと、
前記ユーザ端末によって報告されたＲＳＲＱの測定結果と前記ユーザ端末によって採用されたＲＳＲＱの測定タイプをトレース収集エンティティＴＣＥに報告するように構成される送信モジュールと、を備える。
【００２８】
本発明の他の実施形態における他の参照信号受信品質の報告の装置は、
参照信号受信品質ＲＳＲＱの測定タイプを構成するように構成される構成モジュールと、
構成された前記ＲＳＲＱの測定タイプを基地局に指示し、前記基地局によってユーザ端末に指示するように構成される送信モジュールと、を備える。
【００２９】
本発明の実施形態において、ユーザ端末がＲＳＲＱの測定結果を報告すると共に、ＲＳＲＱの測定タイプを報告し、そして、基地局がユーザ端末によって報告されたＲＳＲＱの測定タイプをネットワーク管理側に報告することができ、ネットワーク管理側はユーザ端末が採用するＲＳＲＱ測定タイプに基づいて、該ユーザ端末のＲＳＲＱの測定結果を解析することができ、解析されたＲＳＲＱの測定結果に応じてネットワークを効果的に最適化する。
【００３０】
また、本発明の実施形態において、基地局と常に接続されているユーザ端末は、該基地局によって指示されたＲＳＲＱの測定タイプに応じてＲＳＲＱの測定を行った後、ＲＳＲＱの測定タイプを報告しなくてもよく、基地局は、該ユーザ端末によって報告されたＲＳＲＱの測定結果を受信した後、その前に自身が該ユーザ端末に指示したＲＳＲＱの測定タイプをネットワーク管理側に報告してよい。
【００３１】
また、本発明の実施形態は、ネットワーク管理側でＲＳＲＱの測定タイプを構成する方法を更に提供し、該方法について、ネットワーク管理側は、ユーザ端末のＲＳＲＱの測定結果を受信した後、その前に自身によって構成されたＲＳＲＱの測定タイプに応じて該ＲＳＲＱの測定結果を解析することができ、解析されたＲＳＲＱの測定結果に応じてネットワークを効果的に最適化することができる。
【００３２】
本発明の実施形態において、ネットワーク管理側は、ＲＳＲＱの測定結果を受信した後、該ＲＳＲＱの測定結果に対応するＲＳＲＱの測定タイプに応じて、受信されたＲＳＲＱの測定結果の実際の意味を正確に解析することができ、該ＲＳＲＱの測定結果に応じてネットワークを効果的に最適化することができる。
【図面の簡単な説明】
【００３３】
【図１】ＭＤＴを示す図である。
【図２】本発明の実施形態一におけるＲＳＲＱの測定を行う方法のフローチャートである。
【図３】本発明の実施形態二におけるＲＳＲＱの報告の方法のフローチャートである。
【図４】本発明の実施形態三におけるＲＳＲＱの測定の方法のフローチャートである。
【図５】本発明の実施形態四におけるＲＳＲＱの報告の装置の構成図である。
【図６】本発明の実施形態五におけるＲＳＲＱの報告の装置の構成図である。
【図７】本発明の実施形態六におけるＲＳＲＱの報告の装置の構成図である。
【発明を実施するための形態】
【００３４】
ここの図面は、本発明を理解するための図面であり、且つ明細書の一部にとして、本発明の実施形態とを結合し、本発明を説明するためのものであり、本発明を限定するものではない。
【００３５】
本発明の実施形態の目的、技術案と効果が更に明確になるために、以下、本発明の実施形態の図面を参照し、本発明の実施形態に係る技術案に対して明確、全面して説明し、明らかに、説明する実施形態がただ本発明の一部の実施形態であり、全部の実施形態ではない。本発明の実施形態に基づいて、当業者が、進歩性を有する工夫をしない場合に取得した他の実施形態は、本発明の保護範囲に含まれ、矛盾しない場合、下記の各実施形態が互いに引用することが可能となる。
【００３６】
実施形態一
実施形態一について、アイドル状態で最小化ドライブテスト記録（ｌｏｇｇｅｄ  ＭＤＴ）構成情報が設定されたユーザ端末のＲＳＲＱの測定に対して説明する。
【００３７】
図２は、本発明の実施形態一におけるＲＳＲＱの測定を行う方法のフローチャートであり、以下のステップを含む。
【００３８】
Ｓ２０１：ネットワーク側管理エンティティ（ＥＭ：Ｅｎｔｉｔｙ  Ｍａｎａｇｅｍｅｎｔ）はＭＤＴ構成情報を介して基地局にＲＳＲＱの測定のタイプを指示する（該ステップは選択可能である）。
【００３９】
該ステップにおいて、ＥＭがＭＤＴ構成情報をトレースセッションアクティブ（ｔｒａｃｅ  ｓｅｓｓｉｏｎ  ａｃｔｉｖａｔｉｏｎ）メッセージに含めて基地局に送信し、ＥＭが基地局に該メッセージを直接に送信してよく、ホーム加入者サーバ（ＨＳＳ：Ｈｏｍｅ  Ｓｕｂｓｃｒｉｂｅｒ  Ｓｅｒｖｅｒ）又はモバイル管理エンティティ（ＭＭＥ：Ｍｏｂｉｌｉｔｙ  Ｍａｎａｇｅｍｅｎｔ  Ｅｎｔｉｔｙ）を介して転送してよい。
【００４０】
ここで、前記ＲＳＲＱの測定タイプが帯域幅タイプ及び／又は定義タイプを含み、前記帯域幅タイプが広帯域ＲＳＲＱと狭帯域ＲＳＲＱを含み、前記定義タイプが伝統的定義ＲＳＲＱと新規定義ＲＳＲＱを含み、伝統的定義ＲＳＲＱにおいて、アンテナポート０で受信された参照シンボルを含む直交周波数分割多重ＯＦＤＭシンボルに基づいて受信信号強度インジケータＲＳＳＩの測定を行い、新規定義ＲＳＲＱにおいて、受信された全てのＯＦＤＭシンボルに基づいてＲＳＳＩの測定を行う。
【００４１】
該ステップにおいて、ＥＭは多種の方式によりＲＳＲＱの測定タイプを指示することができ、例えば、以下の方式一、方式二、方式三である。
【００４２】
方式一：前記ＥＭはマルチビット情報要素（ＩＥ：Ｉｎｆｏｒｍａｔｉｏｎ  Ｅｌｅｍｅｎｔ）により、構成された前記帯域幅タイプと前記定義タイプを指示する。例えば、２つビットのインジケータを有するＩＥのうちのハイビット位置を利用して帯域幅のタイプを指示し、ロービット位置を利用して定義タイプを指示する。又は、ロービット位置を利用して帯域幅タイプを指示し、ハイビット位置を利用して定義タイプを指示する。例えば、０１又は１０を採用して広帯域ＲＳＲＱと伝統的定義ＲＳＲＱの結合又は、狭帯域ＲＳＲＱと新規定義ＲＳＲＱの結合を指示し、１１又は００を採用して広帯域ＲＳＲＱと新規定義ＲＳＲＱの結合、又は、狭帯域ＲＳＲＱと伝統的定義ＲＳＲＱの結合を指示する。
【００４３】
方式二：前記ＥＭは異なるＩＥにより、構成された前記帯域幅タイプと前記定義タイプをそれぞれ指示する。例えば、それぞれに、１ビットのＩＥを採用して帯域幅のタイプを指示し、他の１ビットのＩＥを採用して定義タイプを指示する。具体的な実施形態において、帯域幅タイプを指示するためのＩＥ内に定義タイプをネスティングして指示し、又は、定義タイプを指示するためのＩＥ内に帯域幅タイプをネスティングして指示する。
【００４４】
方式三：前記ＥＭはシングルビットＩＥにより、採用されたＲＳＲＱの測定タイプが広帯域ＲＳＲＱと新規定義ＲＳＲＱの結合であることを指示し、又は、シングルビットＩＥにより、採用されたＲＳＲＱの測定タイプが狭帯域ＲＳＲＱと伝統的定義ＲＳＲＱの結合であることを指示する。
【００４５】
該方式において、広帯域ＲＳＲＱと新規定義ＲＳＲＱがバンドルされ、狭帯域ＲＳＲＱと伝統的定義ＲＳＲＱがバンドルされ、例えば、１つビットのインジケータのＩＥを採用して、構成されたＲＳＲＱの測定タイプが広帯域ＲＳＲＱと新規定義ＲＳＲＱの結合の測定タイプ、又は、狭帯域ＲＳＲＱと伝統的定義ＲＳＲＱの結合の測定タイプであることを指示する。
【００４６】
上記幾つかの方式を参照し、ＥＭはＵＥに多種の測定タイプを構成することができ、具体的に、測定タイプのリストの形態で送信する。ＥＭは、上記の方式によりＲＳＲＱの測定タイプが広帯域ＲＳＲＱ及び／又は新規定義ＲＳＲＱを含むとともに、ＵＥが同時に狭帯域ＲＳＲＱと伝統的定義ＲＳＲＱの結合の測定タイプを採用してＲＳＲＱの測定を行うことを指示する（隠れ式の指示であってよく、例えば、予め設定された方式である）。
【００４７】
Ｓ２０２：基地局が無線リソースコントロール（ＲＲＣ：Ｒａｄｉｏ  Ｒｅｓｏｕｒｃｅ  Ｃｏｎｔｒｏｌ）メッセージを介して接続状態にある前記ユーザ端末にＲＳＲＱの測定タイプを指示し、又は、前記基地局がブロードキャストメッセージを介してカバーされたユーザ端末にＲＳＲＱの測定タイプを指示する。
【００４８】
該ステップにおいて、基地局は、ＲＲＣメッセージにおける測定構成記録（Ｌｏｇｇｅｄ  Ｍｅａｓｕｒｅｍｅｎｔ  Ｃｏｎｆｉｇｕｒａｔｉｏｎ）メッセージを介してＵＥがアイドル状態ｌｏｇｇｅｄ  ＭＤＴを開始することを指示し、該メッセージにおいてｌｏｇｇｅｄ  ＭＤＴによって採用されたＲＳＲＱの測定タイプを指示することができる。基地局はブロードキャストメッセージを介してカバーされた全てのＵＥへＲＳＲＱの測定タイプを一括に指示することができる。
【００４９】
基地局からＵＥにＲＳＲＱの測定タイプを指示する方式は、マルチビット情報要素ＩＥにより、前記ユーザ端末が採用する帯域幅タイプと定義タイプを指示すること、又は、異なるＩＥにより、前記ユーザ端末が採用する帯域幅タイプと定義タイプをそれぞれ指示すること、又は、シングルビットＩＥにより、前記ユーザ端末が採用するＲＳＲＱ測定タイプが広帯域ＲＳＲＱと新規定義ＲＳＲＱの結合であることを指示し、又は、シングルビットＩＥにより、ユーザ端末が採用するＲＳＲＱ測定タイプが狭帯域ＲＳＲＱと伝統的定義ＲＳＲＱの結合であることを指示すること、を含む。具体的な実現方式が上記Ｓ１０１の説明を参照し、ここでは詳細な説明を省略する。ＥＭの指示方式に対応し、基地局は、多種の測定タイプをＵＥに指示することができる。基地局は、ＲＳＲＱの測定タイプが広帯域ＲＳＲＱ及び／又は新規定義ＲＳＲＱを含むとともに、ＵＥが同時に狭帯域ＲＳＲＱと伝統的定義ＲＳＲＱの結合の測定のタイプを採用してＲＳＲＱの測定を行うことを指示する（隠れ式の指示であってよく、例えば、予め設定された方式である）。
【００５０】
また、ステップＳ２０１が実行された場合、即ち、ＥＭがＲＳＲＱの測定タイプを指示した場合、基地局は該ＲＳＲＱの測定タイプをＵＥに直接に指示することができる。それ以外に、ＥＭがＲＳＲＱの測定タイプを指示しない場合、基地局が自身によってＵＥにＲＳＲＱの測定タイプを構成することができ、基地局がＵＥのサポート性能によって該ＵＥに、該ＵＥのサポート性能の範囲内のＲＳＲＱの測定タイプを構成し、即ち、基地局がＵＥにＲＳＲＱの測定タイプを構成するとき、異なるＵＥのＲＳＲＱの測定タイプへのサポート状況を考慮してよい（詳しくは、各ＵＥが広帯域ＲＳＲＱ及び／又は新規定義ＲＳＲＱをサポートするかどうかを考慮する）。
【００５１】
Ｓ２０３：ユーザ端末は、基地局の指示に応じて、アイドル状態に遷移した後、ＲＳＲＱの測定を行い、採用されたＲＳＲＱの測定タイプ（ＥＭがＭＤＴ構成情報を介してＲＳＲＱの測定タイプを指示した且つ指示されたＲＳＲＱの測定タイプが１つのみである場合、ＵＥはＲＳＲＱの測定タイプを記録しなくてもよい）を記録する。
【００５２】
該ステップにおいて、ユーザ端末がアイドル（Ｉｄｌｅ）状態に遷移した後、Ｌｏｇｇｅｄ  ＭＤＴの記録を行う。ここで、ユーザ端末は基地局によって送信されたＲＲＣメッセージ（具体的に、Ｌｏｇｇｅｄ  Ｍｅａｓｕｒｅｍｅｎｔ  Ｃｏｎｆｉｇｕｒａｔｉｏｎメッセージであってよい）又はブロードキャストメッセージの指示により、ＲＳＲＱの測定タイプが広帯域ＲＳＲＱ及び／又は新規定義ＲＳＲＱであることを確定する。ユーザ端末は基地局によってＲＲＣメッセージを介して指示されたＲＳＲＱの測定タイプを受信するだけではなく、基地局によってブロードキャストメッセージを介して指示されたＲＳＲＱの測定タイプも受信する場合、ＲＲＣメッセージの指示優先度がブロードキャストメッセージの指示優先度より高いという基準に基づいて、ＲＲＣメッセージを介して受信されたＲＳＲＱの測定タイプを採用する。ユーザ端末がＲＳＲＱの測定タイプを記録するとき、上記ＥＭ及び基地局側と類似方式を採用してよく、ここでは詳細な説明を省略する。
【００５３】
該ステップにおいて、ユーザ端末が伝統的定義ＲＳＲＱと狭帯域ＲＳＲＱとの結合の測定タイプを採用する場合、測定タイプを記録しなくてもよく、基地局はユーザ端末のＲＳＲＱの測定結果を受信した後、ユーザ端末が伝統的定義ＲＳＲＱと狭帯域ＲＳＲＱとの結合の測定タイプを採用することを見なす。又は、Ｓ１０１において、ＥＭがＭＤＴ構成情報を介してＲＳＲＱの測定タイプを指示した且つ指示されたＲＳＲＱの測定タイプが１つのみである場合、ＵＥはＲＳＲＱの測定タイプを記録しなくてもよい。ここで、ＴＣＥは、ＲＳＲＱの測定結果を受信した後、ＥＭによって構成されたＲＳＲＱの測定タイプに応じて該ＲＳＲＱの測定結果を解析することができる。
【００５４】
Ｓ２０４：ユーザ端末は、接続確立、接続再確立、セルバンドオーバーのうちの１つを行うとき、該ユーザ端末が測定レポートを格納することを基地局に指示する。
【００５５】
Ｓ２０５：基地局は、ユーザ端末が測定レポートを報告することを指示する。
【００５６】
Ｓ２０６：ユーザ端末がＲＳＲＱの測定結果を報告し、ユーザ端末が該ＲＳＲＱの測定結果に対応するＲＳＲＱの測定タイプを記録した場合、ＲＳＲＱの測定結果を報告するとき、採用されたＲＳＲＱの測定タイプを報告する。
【００５７】
該ステップにおいて、ユーザ端末はＲＲＣメッセージを介して測定レポート記録情報要素（ｌｏｇＭｅａｓＲｅｐｏｒｔ  ＩＥ）を報告し、前記ｌｏｇＭｅａｓＲｅｐｏｒｔ  ＩＥにおいて前記ＲＳＲＱの測定タイプを指示する。
【００５８】
具体的な実施形態において、ユーザ端末がＲＳＲＱの測定を行うとき、採用されたＲＳＲＱの測定タイプを記録した場合、ＲＳＲＱの測定タイプと該ＲＳＲＱの測定タイプの測定結果を基地局に報告する。ＥＭによって送信されたＭＤＴ構成情報においてＲＳＲＱの測定タイプを指示した且つ指示されたＲＳＲＱの測定タイプが１つのみである場合、ＵＥはＲＳＲＱの測定タイプを記録しなくてもよく、ＲＳＲＱの測定タイプを報告しない。又は、ＵＥがＲＳＲＱの測定タイプを報告しなく、ユーザ端末が伝統的定義ＲＳＲＱと狭帯域ＲＳＲＱとの結合の測定タイプを採用することを見なす。具体的に、ＲＳＲＱの測定タイプを指示するための方式は、マルチビット情報要素ＩＥにより、採用された帯域幅タイプと定義タイプを指示すること、又は、異なるＩＥにより、採用された帯域幅タイプと定義タイプをそれぞれ指示すること、又は、シングルビットＩＥにより、採用されたＲＳＲＱの測定タイプが広帯域ＲＳＲＱと新規定義ＲＳＲＱの結合であることを指示し、又は、シングルビットＩＥにより、採用されたＲＳＲＱの測定タイプが狭帯域ＲＳＲＱと伝統的定義ＲＳＲＱの結合であることを指示すること、を含む。具体的な実現方式が上記の説明を参照し、ここでは詳細な説明を省略する。
【００５９】
Ｓ２０７：基地局は、ユーザ端末によって報告されたＲＳＲＱの測定結果をトレース収集エンティティ（ＴＣＥ：Ｔｒａｃｅ  Ｃｏｌｌｅｃｔｉｏｎ  Ｅｎｔｉｔｙ）に報告する。ユーザ端末がＲＳＲＱの測定タイプを報告した場合、ＲＳＲＱの測定結果を報告するとき、ユーザ端末によって採用されたＲＳＲＱの測定タイプを報告する。
【００６０】
該ステップにおいて、ユーザ端末が伝統的定義ＲＳＲＱと狭帯域ＲＳＲＱとの結合の測定タイプを採用する場合、測定タイプを記録しなくてもよく、基地局がユーザ端末のＲＳＲＱの測定結果を報告した後、ＴＣＥはユーザ端末が伝統的定義ＲＳＲＱと狭帯域ＲＳＲＱとの結合の測定タイプを採用することを見なす。又は、ＲＳＲＱの測定タイプがＥＭによって構成され且つ１つのみである場合、ＵＥはＲＳＲＱの測定タイプを報告しなくてもよい。対応的に、基地局もＲＳＲＱの測定タイプを報告しない。ＴＣＥは、該ＲＳＲＱの測定結果を受信した後、該ＲＳＲＱの測定結果に対応するトレースセッション識別子（Ｔｒａｃｅ  Ｓｅｓｓｉｏｎ  ＩＤ）に応じて、ＥＭが該Ｔｒａｃｅ  Ｓｅｓｓｉｏｎ  ＩＤに対して構成したＲＳＲＱの測定タイプを確定することができる。
【００６１】
Ｓ２０８：ネットワーク最適化プラットフォーム（又はネットワーク管理と称する）は、ＴＣＥによって収集されたＲＳＲＱの測定結果と対応のＲＳＲＱの測定タイプに応じて、ネットワーク最適化を行う。
【００６２】
具体的な実施過程中において、ＲＳＲＱの測定結果に対応するＲＳＲＱの測定タイプに応じて、該ＲＳＲＱの測定タイプに関する無線ネットワークパラメータが最適化される必要があるかどうかを判断する。この無線ネットワークパラメータは、セル選択、セル再選択又はセルバンドオーバーに関する無線ネットワークパラメータを含み、ここで、異なるＲＳＲＱの測定タイプに対応する特定の無線ネットワークパラメータ（例えば、ｑ−ＱｕａｌＭｉｎＷＢである）を含むだけだはなく、ＲＳＲＱのタイプに従って異なる値を取得する他の無線ネットワークパラメータ（例えば、Ｑｑｕａｌｍｉｎｏｆｆｓｅｔ、ＳＩｎｔｒａＳｅａｒｃｈＱ、測定イベント（例えば、Ａ１〜Ａ５、Ｂ１、Ｂ２イベントなどである）のＲＳＲＱに関する測定閾値）も含む。本発明の実施形態をにおいて、ＲＳＲＱの測定タイプを認識した後、これらの無線ネットワークパラメータを対応的に最適化することができる。具体的な実施形態において、異なるＲＳＲＱの測定タイプに対して、各無線ネットワークパラメータにそれぞれ一つのオフセット（ｏｆｆｓｅｔ）を設定し、異なるＲＳＲＱの測定タイプがセル選択、セル再選択又はセルバンドオーバーに応用されるとき、まず、初期設定された無線ネットワークパラメータ値に対して、設定されたオフセットを設定して、該無線ネットワークパラメータ値を開始する。
【００６３】
実施形態二
該実施形態二について、接続状態にあるユーザ端末のＲＳＲＱの測定を説明する。
【００６４】
図３は本発明の実施形態二におけるＲＳＲＱの報告の方法のフローチャートである。
【００６５】
Ｓ３０１：ＥＭはＭＤＴ構成情報を介して基地局にＲＳＲＱの測定タイプを指示する（該ステップは選択可能である）。
【００６６】
該ステップの実現は実施形態一を参照してよく、ここでは詳細な説明を省略する。
【００６７】
Ｓ３０２：基地局はＲＲＣメッセージを介して接続状態にある前記ユーザ端末にＲＳＲＱの測定タイプを指示する。
【００６８】
該ステップにおいて、基地局はＲＲＣメッセージを介して接続状態にあるユーザ端末がＭＤＴ（Ｉｍｍｅｄｉａｔｅ  ＭＤＴ）をタイムリー開始することを指示する。また、ステップＳ３０１が実行された場合、即ち、ＥＭがＲＳＲＱの測定タイプを指示した場合、基地局は該ＲＳＲＱの測定タイプをＵＥに直接に指示することができる。それ以外に、ＥＭがＲＳＲＱの測定タイプを指示しない場合、基地局が自身によってＵＥにＲＳＲＱの測定タイプを構成することができ、基地局がＵＥのサポート性能によって該ＵＥに、該ＵＥのサポート性能の範囲内のＲＳＲＱの測定タイプを構成し、即ち、基地局がＵＥにＲＳＲＱの測定タイプを構成するとき、異なるＵＥのＲＳＲＱの測定タイプへのサポート状況を考慮してよい（詳しくは、各ＵＥが広帯域ＲＳＲＱ及び／又は新規定義ＲＳＲＱをサポートするかどうかを考慮する）。
【００６９】
基地局がＲＳＲＱの測定タイプを指示するための方式は、実施形態一を参照してよく、ここでは詳細な説明を省略する。
【００７０】
Ｓ３０３：ユーザ端末は、基地局の指示によりＲＳＲＱの測定を行い、ＲＳＲＱの測定結果を報告する。
【００７１】
該ステップにおいて、ユーザ端末がＥＭ又は基地局によって構成されたＲＳＲＱの測定タイプに応じてＲＳＲＱの測定を行う。具体的な実施形態において、ユーザ端末は、多種のＲＳＲＱの測定タイプにおいてＲＳＲＱの測定を行い、各種のＲＳＲＱの測定タイプのＲＳＲＱの測定結果をそれぞれ記録し、その後、ＲＳＲＱの測定タイプ及び各種のＲＳＲＱの測定タイプのＲＳＲＱの測定結果を報告する。
【００７２】
該ステップにおいて、ユーザ端末が一つのＲＳＲＱの測定タイプを採用してＲＳＲＱの測定を行うとき、ＲＳＲＱの測定タイプを記録しなくてもよい。これは、ユーザ端末が、該基地局とのＲＲＣ接続状態においてＲＳＲＱの測定及び報告を行い、ユーザ端末が滞在している基地局は変わらなく、基地局がユーザ端末に一つのＲＳＲＱの測定タイプのみ指示する場合、基地局がユーザ端末によって報告されたＲＳＲＱの測定結果を受信した後、該ユーザ端末によって採用されたＲＳＲＱの測定タイプを認識することができるためである。
【００７３】
ＥＭ又は基地局がユーザ端末に多種のＲＳＲＱの測定タイプを構成する場合、ユーザ端末は各種のＲＳＲＱの測定タイプ及び各種のＲＳＲＱの測定タイプの測定の結果を記録する必要がある。
【００７４】
Ｓ３０４：基地局がユーザ端末によって報告されたＲＳＲＱの測定結果を受信した後、ユーザ端末のＲＳＲＱの測定結果及び該ユーザ端末によって採用されたＲＳＲＱの測定タイプをＴＣＥに報告する。
【００７５】
ＲＳＲＱの測定タイプが一つのみである場合について、ＥＭがＭＤＴ構成情報においてＲＳＲＱの測定タイプを指示しない場合、基地局がユーザ端末によって報告されたＲＳＲＱの測定結果を受信した後、ＵＥの識別子情報により、この前、該ユーザ端末に構成したＲＳＲＱの測定タイプをサーチし、該ＲＳＲＱの測定タイプを記録する。記録方式が実施形態一の説明を参照する。ユーザ端末が広帯域ＲＳＲＱ及び／又は新規定義ＲＳＲＱの測定タイプを採用しない場合、基地局がＲＳＲＱの測定を記録及び報告しなくてもよく、このとき、ＴＣＥはユーザ端末が伝統的ＲＳＲＱの測定タイプ（狭帯域ＲＳＲＱと伝統的ＲＳＲＱの結合の測定タイプ）を採用することを見なす。又は、ＥＭがＭＤＴ構成情報においてＲＳＲＱの測定タイプを指示した場合、基地局がＲＳＲＱの測定タイプを報告しなくてもよく、ＴＣＥが該ＲＳＲＱの測定結果を受信したあ後、該ＲＳＲＱの測定結果に対応するトレースセッション識別子（Ｔｒａｃｅ  Ｓｅｓｓｉｏｎ  ＩＤ）によって、ＥＭが該Ｔｒａｃｅ  Ｓｅｓｓｉｏｎ  ＩＤに対して構成したＲＳＲＱの測定タイプを確定することができる。
【００７６】
ＲＳＲＱの測定タイプが多種である場合について、基地局はユーザ端末によって記録された各種のＲＳＲＱの測定タイプ及び各種のＲＳＲＱの測定タイプの測定結果をＴＣＥに報告する。
【００７７】
Ｓ３０５：ネットワーク最適化プラットフォーム（又はネットワーク管理と称する）は、ＴＣＥによって収集されたＲＳＲＱの測定結果と対応のＲＳＲＱの測定タイプにより、ネットワーク最適化を行う。
【００７８】
該ステップの具体的な実現は実施形態一の説明を参照し、ここでは詳細な説明を省略する。
【００７９】
上記の実施形態一及び二において、基地局は、広帯域ＲＳＲＱ及び／又は新規定義ＲＳＲＱがサポートできる全てのユーザ端末が広帯域ＲＳＲＱ及び／又は新規定義ＲＳＲＱの測定タイプにより測定を行う（即ち、ユーザ端末が新規タイプＲＳＲＱの測定をサポートすれば、新規タイプにより測定を行う）ことを設定し且つユーザによって採用されたＲＳＲＱの測定タイプが一つのみである場合、このとき、ユーザ端末がＲＳＲＱの測定タイプを報告しなくてもよく、基地局がユーザ端末によって報告されたＲＳＲＱの測定結果を受信した後、ユーザ端末のサポート性能により、ユーザ端末によって採用されたＲＳＲＱの測定タイプを確定する。
【００８０】
実施形態三
該実施形態三は、ユーザ端末に無線リンク失敗（ＲＬＦ：Ｒａｄｉｏ  Ｌｉｎｋ  Ｆａｉｌｕｒｅ）、ハンドオーバー失敗、接続確立失敗が生じるときのＲＳＲＱの測定を説明する。
【００８１】
図４は、本発明の実施形態三におけるＲＳＲＱの測定の方法のフローチャートである。
【００８２】
Ｓ４０１：ＥＭはＲＬＦレポート構成情報又は接続確立失敗レポート構成情報を介して基地局にＲＳＲＱの測定タイプを指示する（該ステップは選択可能である）。
【００８３】
該ステップにおいて、ＥＭは、ＲＬＦレポート構成情報又は接続確立失敗レポート構成情報をｔｒａｃｅ  ｓｅｓｓｉｏｎ  ａｃｔｉｖａｔｉｏｎメッセージにおいて含まれて基地局に送信する。ＥＭは基地局に該メッセージを直接に送信してよく、ＨＳＳ又はＭＭＥを介して転送してもよい。
【００８４】
ＥＭがＲＳＲＱの測定タイプを指示するための方式は、実施形態一を参照してよく、ここでは詳細な説明を省略する。
【００８５】
Ｓ４０２：基地局はＲＲＣメッセージを介して接続状態にある前記ユーザ端末にＲＳＲＱの測定タイプを指示し、又は、ブロードキャストメッセージを介してカバーされたユーザ端末にＲＳＲＱの測定タイプを指示する。
【００８６】
該ステップの具体的な実現は実施形態一を参照する。上記の実施形態と類似し、ＥＭがＲＬＦレポート構成情報又は接続確立失敗レポート構成情報を介してＲＳＲＱの測定タイプを指示した場合、基地局がＥＭによって指示されたＲＳＲＱの測定タイプをユーザ端末に送信し、ＥＭがＲＳＲＱの測定タイプを指示しない場合、基地局が自身によりユーザ端末にＲＳＲＱの測定タイプを構成する。
【００８７】
Ｓ４０３：ユーザ端末にＲＬＦ、ハンドオーバー失敗、接続確立失敗のうちの一つが生じるときにＲＳＲＱの測定結果を記録し、採用されたＲＳＲＱの測定タイプを記録する（Ｓ３０１において、ＥＭがＲＳＲＱの測定タイプを指示した且つ指示されたＲＳＲＱの測定タイプが１つのみである場合、ＵＥがＲＳＲＱの測定タイプを記録しなくても良い）。
【００８８】
該ステップにおいて、ユーザ端末に接続確立失敗、ハンドオーバー失敗又はＲＬＦが生じるとき、関連情報を対応の変数に記録し、例えば、接続確立失敗レポート（ｃｏｎｎＥｓｔＦａｉｌＲｅｐｏｒｔ）又はＲＬＦレポート（ＲＬＦ−Ｒｅｐｏｒｔ）に記録し、この関連情報はＲＳＲＱの測定結果を含み、ＲＳＲＱの測定タイプを含んでよい。ユーザ端末がＲＳＲＱの測定タイプを具体的に記録するかどうかは上記の実施形態と類似し、例えば、ＥＭがＲＳＲＱの測定タイプを指示した且つ該ＲＳＲＱの測定タイプが１つのみである場合、ＲＳＲＱの測定タイプを記録しなくてもよく、又は、伝統的ＲＳＲＱの測定タイプを採用する場合、ＲＳＲＱの測定タイプを記録しなくてもよい。ＥＭ又は基地局は、多種のＲＳＲＱの測定タイプを構成するとき、各種のＲＳＲＱの測定タイプ及び各種のＲＳＲＱの測定タイプのＲＳＲＱの測定結果を記録する必要があり、ユーザ端末がＲＳＲＱの測定タイプを記録するための方式は上記の実施形態の説明を参照してよく、ここでは詳細な説明を省略する。
【００８９】
Ｓ４０４：ユーザ端末が接続確立、接続再確立又はセルバンドオーバーを行うとき、基地局に該ユーザ端末が測定レポートを格納していることを指示する。
【００９０】
Ｓ４０５：基地局はユーザ端末が測定レポートを報告することを指示する。
【００９１】
Ｓ４０６：ユーザ端末がＲＳＲＱの測定結果を報告し、ユーザ端末が該ＲＳＲＱの測定結果に対応するＲＳＲＱの測定タイプを記録している場合、ＲＳＲＱの測定結果を報告するとき、採用されたＲＳＲＱの測定タイプを報告する。
【００９２】
該ステップの具体的な実現は実施形態一の説明を参照してよく、ここでは詳細な説明を省略する。
【００９３】
Ｓ４０７：基地局がユーザ端末により報告されたＲＳＲＱの測定結果をＴＣＥに報告し、ユーザ端末がＲＳＲＱの測定タイプを報告した場合、ＲＳＲＱの測定結果を報告するとき、ユーザ端末によって採用されたＲＳＲＱの測定タイプを報告する。
【００９４】
該ステップにおいて、ユーザ端末が伝統的定義ＲＳＲＱと狭帯域ＲＳＲＱとの結合の測定タイプを採用する場合、測定タイプを報告しなくてもよく、基地局がユーザ端末のＲＳＲＱの測定結果を報告した後、ＴＣＥはユーザ端末が伝統的定義ＲＳＲＱと狭帯域ＲＳＲＱとの結合の測定タイプを採用することを見なす。又は、ＥＭによってＲＳＲＱの測定タイプを構成した且つ１つのみである場合、ＵＥはＲＳＲＱの測定タイプを報告しなくてもよい。対応的に、基地局もＲＳＲＱの測定タイプを報告しない。ＴＣＥが該ＲＳＲＱの測定結果を受信した後、該ＲＳＲＱの測定結果に対応するＴｒａｃｅ  Ｓｅｓｓｉｏｎ  ＩＤによって、ＥＭが該Ｔｒａｃｅ  Ｓｅｓｓｉｏｎ  ＩＤに対して構成したＲＳＲＱの測定タイプを確定することができる。
【００９５】
Ｓ４０８：ネットワーク最適化プラットフォーム（又はネットワーク管理と称する）は、ＴＣＥによって収集されたＲＳＲＱの測定結果と対応のＲＳＲＱの測定タイプにより、ネットワーク最適化を行う。
【００９６】
該ステップの具体的な実現は実施形態一を参照してよく、ここでは詳細な説明を省略する。
【００９７】
同一な発明の思想に基づいて、本発明の実施形態は、参照信号受信品質の報告の方法に対応する参照信号受信品質の報告の装置を提供し、該装置について、解決課題の原理と本発明の実施形態に記載の参照信号受信品質の報告の方法と類似し、このため、該装置の実現は方法の実現を参照してよく、重複な説明を省略する。
【００９８】
図５は、本発明の実施形態四におけるＲＳＲＱの報告の装置の構成図である。前記装置は、
参照信号受信品質ＲＳＲＱの測定を行い、採用されたＲＳＲＱの測定タイプを記録するように構成される測定モジュール５１と、
採用されたＲＳＲＱの測定タイプと該ＲＳＲＱの測定タイプのＲＳＲＱの測定結果を報告するように構成される送信モジュール５２と、を備える。
【００９９】
好ましくは、前記ＲＳＲＱの測定タイプが帯域幅タイプ及び／又は定義タイプを含み、前記帯域幅タイプが広帯域ＲＳＲＱと狭帯域ＲＳＲＱを含み、前記定義タイプが伝統的定義ＲＳＲＱと新規定義ＲＳＲＱを含み、伝統的定義ＲＳＲＱにおいて、アンテナポート０で受信された参照シンボルを含む直交周波数分割多重ＯＦＤＭシンボルに基づいて受信信号強度インジケータＲＳＳＩの測定を行い、新規定義ＲＳＲＱにおいて、受信された全てのＯＦＤＭシンボルに基づいてＲＳＳＩの測定を行う。
【０１００】
好ましくは、前記ＲＳＲＱの測定タイプが帯域幅タイプと定義タイプを含み、前記送信モジュールは、
マルチビット情報要素ＩＥにより、採用された帯域幅タイプと定義タイプを指示し、又は、
異なるＩＥにより、採用された帯域幅タイプと定義タイプをそれぞれ指示し、又は、
シングルビットＩＥにより、採用されたＲＳＲＱ測定タイプが広帯域ＲＳＲＱと新規定義ＲＳＲＱの結合であることを指示し、又は、シングルビットＩＥにより、採用されたＲＳＲＱの測定タイプが狭帯域ＲＳＲＱと伝統的定義ＲＳＲＱの結合であることを指示するように構成される。
【０１０１】
好ましくは、前記装置は、
基地局が無線リソースコントロールＲＲＣメッセージを介して指示したＲＳＲＱの測定タイプを受信し、及び／又は、基地局がブロードキャストメッセージを介して指示したＲＳＲＱの測定タイプを受信するように構成される受信モジュール５３を更に備える。
【０１０２】
好ましくは、前記測定モジュール５１は、
受信された最小化ドライブテスト記録ｌｏｇｇｅｄＭＤＴ構成情報に基づいて、アイドル状態でＲＳＲＱの測定結果を記録するとき、採用されたＲＳＲＱの測定タイプを記録するように構成される。
【０１０３】
好ましくは、前記送信モジュール５２は、
無線リソースコントロールＲＲＣメッセージを介して測定レポート記録情報要素ｌｏｇＭｅａｓＲｅｐｏｒｔ  ＩＥを報告し、前記ｌｏｇＭｅａｓＲｅｐｏｒｔＩＥにおいて前記ＲＳＲＱの測定タイプを指示するように構成される。
【０１０４】
好ましくは、前記測定モジュール５１は、
ユーザ端末に無線リンク失敗ＲＬＦ、ハンドオーバー失敗、接続確立失敗のうちの一つが生じる場合、ＲＳＲＱの測定結果を記録し、採用されたＲＳＲＱの測定タイプを記録するように構成される。
【０１０５】
好ましくは、前記測定モジュール５１は、
多種のＲＳＲＱの測定タイプにおいてＲＳＲＱの測定を行い、各種のＲＳＲＱの測定タイプのＲＳＲＱの測定結果を記録するように構成される。
【０１０６】
図６は、本発明の実施形態五におけるＲＳＲＱの報告の装置の構成図である。前記装置は、
ユーザ端末が報告した参照信号受信品質ＲＳＲＱの測定結果を受信するように構成される受信モジュール６１と、
前記ユーザ端末が報告したＲＳＲＱの測定結果と前記ユーザ端末が採用したＲＳＲＱの測定タイプをトレース収集エンティティＴＣＥに報告するように構成される送信モジュール６２と、を備える。
【０１０７】
好ましくは、前記ＲＳＲＱの測定タイプが帯域幅タイプ及び／又は定義タイプを含み、前記帯域幅タイプが広帯域ＲＳＲＱと狭帯域ＲＳＲＱを含み、前記定義タイプが伝統的定義ＲＳＲＱと新規定義ＲＳＲＱを含み、伝統的定義ＲＳＲＱにおいて、アンテナポート０で受信された参照シンボルを含む直交周波数分割多重ＯＦＤＭシンボルに基づいて受信信号強度インジケータＲＳＳＩの測定を行い、新規定義ＲＳＲＱにおいて、受信された全てのＯＦＤＭシンボルに基づいてＲＳＳＩの測定を行う。
【０１０８】
好ましくは、前記ＲＳＲＱの測定タイプが帯域幅タイプと定義タイプを含み、前記送信モジュール６２は、
マルチビット情報要素ＩＥにより、前記ユーザ端末が採用する帯域幅タイプと定義タイプを指示し、又は、
異なるＩＥにより、前記ユーザ端末が採用した帯域幅タイプと定義タイプをそれぞれ指示し、又は、
シングルビットＩＥにより、前記ユーザ端末が採用したＲＳＲＱ測定タイプが広帯域ＲＳＲＱと新規定義ＲＳＲＱの結合であることを指示し、又は、シングルビットＩＥにより、前記ユーザ端末が採用するＲＳＲＱの測定タイプが狭帯域ＲＳＲＱと伝統的定義ＲＳＲＱの結合であることを指示するように構成される。
【０１０９】
好ましくは、  前記送信モジュール６２は、前記受信モジュールはユーザ端末が報告した参照信号受信品質ＲＳＲＱの測定結果を受信する前に、
無線リソースコントロールＲＲＣメッセージを介して接続状態にある前記ユーザ端末にＲＳＲＱの測定タイプを指示し、及び／又は、ブロードキャストメッセージを介してカバーされたユーザ端末にＲＳＲＱの測定タイプを指示するように構成される。
【０１１０】
好ましくは、前記送信モジュール６２は、
ＲＲＣメッセージを介して接続状態にある前記ユーザ端末へＲＳＲＱの測定タイプを送信する場合、前記ユーザ端末が報告したＲＳＲＱの測定結果と、その前に、前記ユーザ端末に指示したＲＳＲＱの測定タイプをＴＣＥに報告する。
【０１１１】
前記受信モジュール６１は、
前記ユーザ端末が報告したＲＳＲＱの測定タイプと該ＲＳＲＱの測定タイプのＲＳＲＱの測定結果を受信するように構成される。
【０１１２】
好ましくは、前記装置は、前記受信モジュールはユーザ端末が報告したＲＳＲＱの測定結果を受信する前に、前記ユーザ端末のＲＳＲＱの測定タイプを構成するように構成される構成モジュール６３を含み、又は、
前記受信モジュール６１は、ユーザ端末が報告したＲＳＲＱの測定結果を受信する前に、ネットワークエンティティ管理ＥＭが送信したＲＳＲＱの測定タイプを受信するように構成される。
【０１１３】
好ましくは、前記受信モジュール６１は、
ＥＭから送信された、ＲＳＲＱの測定タイプを含む最小化ドライブテストＭＤＴ構成情報を受信し、又は、
ＥＭから送信された、ＲＳＲＱの測定タイプを含む無線リンク失敗ＲＬＦレポート構成情報又は接続確立失敗レポート構成情報を受信するように構成される。
【０１１４】
図７は、本発明の実施形態六におけるＲＳＲＱの報告の装置の構成図である。前記装置は、
参照信号受信品質ＲＳＲＱの測定タイプを構成するように構成される構成モジュール７１と、
構成された前記ＲＳＲＱの測定タイプを基地局に指示し、前記基地局によってユーザ端末に指示するように構成される送信モジュールと７２、を備える。
【０１１５】
好ましくは、前記ＲＳＲＱの測定タイプが帯域幅タイプ及び／又は定義タイプを含み、前記帯域幅タイプが広帯域ＲＳＲＱと狭帯域ＲＳＲＱを含み、前記定義タイプが伝統的定義ＲＳＲＱと新規定義ＲＳＲＱを含み、伝統的定義ＲＳＲＱにおいて、アンテナポート０で受信された参照シンボルを含む直交周波数分割多重ＯＦＤＭシンボルに基づいて受信信号強度インジケータＲＳＳＩの測定を行い、新規定義ＲＳＲＱにおいて、受信された全てのＯＦＤＭシンボルに基づいてＲＳＳＩの測定を行う。
【０１１６】
好ましくは、前記ＲＳＲＱの測定タイプが帯域幅タイプと定義タイプを含み、前記送信モジュール７２は、
マルチビット情報要素ＩＥにより、構成された帯域幅タイプと定義タイプを指示し、又は、
異なるＩＥにより、構成された帯域幅タイプと定義タイプをそれぞれ指示し、又は、
シングルビットＩＥにより、構成されたＲＳＲＱの測定タイプが広帯域ＲＳＲＱと新規定義ＲＳＲＱの結合であることを指示し、又は、シングルビットＩＥにより、構成されたＲＳＲＱの測定タイプが狭帯域ＲＳＲＱと伝統的定義ＲＳＲＱの結合であることを指示するように構成される。
【０１１７】
好ましくは、前記送信モジュール７２は、
前記ＲＳＲＱの測定タイプを最小化ドライブテストＭＤＴ構成情報を介して前記基地局に指示し、又は、
前記ＲＳＲＱの測定タイプを無線リンク失敗ＲＬＦレポート構成情報又は接続確立失敗レポート構成情報を介して前記基地局に指示するように構成される。
【０１１８】
本分野の当業者であれば、本発明の実施例は方法、システム、或いはコンピュータプログラム製品を提供してよい。従って、本発明はハードウエア実施例、ソフトウエア実施例、或いはソフトウエアとハードウエアを結合する実施例の形式を採用してよい。且つ、本発明はコンピュータプログラムコードを含み、一つ又は複数のコンピュータ記憶媒体（ディスク記憶装置、ＣＤ−ＲＯＭ、光学記憶装置などが含まれるが、それに限らない）に行われるコンピュータプログラム製品の形式を採用してよい。
【０１１９】
本発明は本発明の実施例における方法、装置（システム）、コンピュータプログラム製品のフローチャート及び／又はブロック図により表れる。コンピュータプログラム命令がフローチャート及び／又はブロック図における各フロー及び／又はプロセス、及びフローチャート及び／又はブロック図におけるフロー及び／又はプロセスの結合を実現してよい。このコンピュータプログラム命令を汎用コンピュータ、専用コンピュータ、組込プロセッサー或いは他のプログラミングデータプロセス装置のプロセッサへ提供して１つの機器を生成することで、コンピュータ或いは他のプログラミングデータプロセス装置のプロセッサーに実行された命令によってフローチャートにおける１つ或いは複数のフロー及び／又はブロック図における１つ或いは複数のプロセスには指定される能力を実現するために用いられる装置を生成する。
【０１２０】
上記のコンピュータプログラム命令はコンピュータ或いは他のプログラミングデータプロセス装置が特定方式で動作させるように起こすコンピュータ読取メモリに記憶されてよく、該コンピュータ読取メモリに記憶された命令が命令装置を備える製造品を生成させ、該命令装置はフローチャートにおける１つ或いは複数のフロー及び／又はブロック図における１つ或いは複数のプロセスには指定される能力を実現する。
【０１２１】
上記のコンピュータプログラム命令がコンピュータ或いは他のプログラミングデータプロセス装置にインストールされてよく、コンピュータ或いは他のプログラミングデータプロセス装置に一連の動作ステップを実行させてコンピュータが実現するプロセスを生成し、そしてコンピュータ或いは他のプログラミングデータプロセス装置が実行された命令はフローチャートにおける１つ或いは複数のフロー及び／又はブロック図における１つ或いは複数のプロセスには指定される能力を実現するために用いられるステップを提供する。
【０１２２】
本発明の好ましい実施形態を説明したが、当業者は進歩性を有する基本的なコンセプトを理解すると、これらの実施形態に対して他の変化と改修を行うことができる。従いまして、添付された請求項は、好ましい実施形態及び本発明の保護範囲内の全ての変化と改修を含むことが可能となる。
【０１２３】
本発明の主旨精神と保護範囲を逸脱しない限り、当業者は、本発明に対して、各種の改修と変化を行うことができる。それで、本発明のこれらの改修と変化が本発明の請求項及び相当な技術範囲内に含まれば、本発明は、これらの改修と変化を含むことを旨とする。
【図１】
0006396585.tif 000002
【図２】
0006396585.tif 000003
【図３】
0006396585.tif 000004
【図４】
0006396585.tif 000005
【図５】
0006396585.tif 000006
【図６】
0006396585.tif 000007
【図７】
0006396585.tif 000008